(57)【要約】【課題】映像情報に基づくサムネイル作成における映像記録装置側の負荷を軽減できる映像記録システムを提供する。【解決手段】撮影して得られた映像情報及び該映像情報に基づき作成したサムネイルを、毎正時、アラーム検出時または映像記録装置５からの送信要求に応じて送信するネットワークカメラ２、エンコーダ４と、ネットワークカメラ２、エンコーダ４から送信された映像情報及びサムネイルを受信して記録する映像記録装置５と、を備え、ネットワークカメラ２、エンコーダ４側でサムネイルを作成する。これにより、映像情報に基づくサムネイル作成における映像記録装置５側の負荷を軽減できる。【選択図】図１
2010193393.tif 000002
【特許請求の範囲】
【請求項１】
撮影して得られた映像情報及び前記映像情報に基づき作成したサムネイルを所定の条件に応じて送信する映像送信手段と、
前記映像送信手段から送信された前記映像情報及び前記サムネイルを受信して記録する映像記録装置と、
を備えた映像記録システム。
【請求項２】
前記映像記録装置は、前記サムネイルを受信したときに録画データのファイルを作成する管理情報を作成し、前記映像情報及び前記サムネイルと共に記録するファイルシステムを備えた請求項１に記載の映像記録システム。
【請求項３】
前記所定の条件は、前記映像記録装置からの送信要求である請求項１または２に記載の映像記録システム。
【請求項４】
前記所定の条件は、前記映像送信手段の毎正時またはアラーム検出時である請求項１ないし３のいずれかに記載の映像記録システム。
【請求項５】
映像送信手段から所定の条件に応じて送信された映像情報及び前記映像情報に対応したサムネイルを受信する受信手段と、
前記受信手段で受信された前記映像情報及び前記サムネイルを記録する記録手段と、
を備えた映像記録装置。
【請求項６】
前記映像記録装置は、前記サムネイルを受信したときに録画データのファイルを作成する管理情報を作成し、前記映像情報及び前記サムネイルと共に記録するファイルシステムを備えた請求項５に記載の映像記録装置。
【請求項７】
前記所定の条件は、前記映像記録装置からの送信要求である請求項５または６に記載の映像記録装置。
【請求項８】
前記所定の条件は、前記映像送信手段の毎正時またはアラーム検出時である請求項５ないし７のいずれかに記載の映像記録装置。
【請求項９】
映像送信手段から所定の条件に応じて送信された映像情報及び前記映像情報に対応したサムネイルを受信する受信ステップと、
前記受信ステップで受信された前記映像情報及び前記サムネイルを記録する記録ステップと、
を備えた映像記録方法。
【発明の詳細な説明】
【技術分野】
【０００１】
本発明は、映像監視システムに用いて好適な映像記録システム及び映像記録装置に関する。
【背景技術】
【０００２】
カメラと、該カメラで撮影して得られた映像情報を記録する映像記録装置とを備える映像記録システムでは、映像記録装置側でレコード分割時にサムネイルを付与し、どのような映像が記録されているか分りやすくするようにしている。レコード分割は、以下に示すタイミングで行っている。
・＊＊時００分
・アラーム発生時
・時刻変更実施時
・画像・圧縮方式の変更時等の録画に影響する設定変更を行ったとき
【０００３】
また、従来の映像記録システムには、例えば特許文献１で開示されている映像監視システムでも行われているように、レコード毎にサムネイルを表示できる機能を有しているものもある。サムネイルを表示する場合、以下の２つのパターンがある。
（１）レコードの先頭の画像を表示する
（２）サムネイル用に解像度の小さい画像を作成する
【０００４】
前述した特許文献１で開示された映像監視システムは、防犯カメラによって撮影して得られたアナログ映像データをデジタル映像データとしてハードディスクに記録保存する映像記録装置と、通信回線で接続された映像確認装置とを備えた映像監視システムにおいて、映像確認装置は汎用パソコンとするとともに、その汎用パソコンの表示部に、映像記録装置から取り込まれた所定のデジタル映像データを記録時間単位で一定時間毎に一塊に分割された分割映像として、その分割映像を複数個のサムネイル静止画として表示するようにしている。なお、分割映像を得ることが上述した“レコード分割”である。
【０００５】
【特許文献１】特開２００６−０７４６６７号公報
【発明の開示】
【発明が解決しようとする課題】
【０００６】
しかしながら、従来の映像記録システムでは、サムネイルの作成を映像記録装置側（上述した特許文献１では映像確認装置側）で行っているため、サムネイル表示における映像記録装置側での負荷が大きくなる問題がある。特に、上述した（１）のパターンの場合、画像サイズが大きくなるに従い、負荷が大きくなる。また、パターン（２）の場合、カメラの台数が多く、アラームが多発する環境では負荷が非常に大きくなる。
【０００７】
本発明は、係る事情に鑑みてなされたものであり、映像情報に基づくサムネイル作成における映像記録装置側の負荷を軽減できる映像記録システムを提供することを目的とする。
【課題を解決するための手段】
【０００８】
本発明の映像記録システムは、撮影して得られた映像情報及び前記映像情報に基づき作成したサムネイルを所定の条件に応じて送信する映像送信手段と、前記映像送信手段から送信された前記映像情報及び前記サムネイルを受信して記録する映像記録装置と、を備えた。
【０００９】
上記構成によれば、映像送信手段側でサムネイルを作成して映像記録装置側へ送信するので、サムネイル作成における映像記録装置側の負荷を軽減できる。
【００１０】
上記構成において、前記映像記録装置は、前記サムネイルを受信したときに録画データのファイルを作成する管理情報を作成し、前記映像情報及び前記サムネイルと共に記録するファイルシステムを備えた。
【００１１】
上記構成において、前記所定の条件は、前記映像記録装置からの送信要求である。
【００１２】
上記構成において、前記所定の条件は、前記映像送信手段の毎正時またはアラーム検出時である。
【００１３】
本発明の映像記録装置は、映像送信手段から所定の条件に応じて送信された映像情報及び前記映像情報に対応したサムネイルを受信する受信手段と、前記受信手段で受信された前記映像情報及び前記サムネイルを記録する記録手段と、を備えた。
【００１４】
上記構成によれば、映像送信手段側で作成されて送信されてきたサムネイルを受信して記録するので、サムネイル作成における映像記録装置側の負荷を軽減できる。
【００１５】
上記構成において、前記映像記録装置は、前記サムネイルを受信したときに録画データのファイルを作成する管理情報を作成し、前記映像情報及び前記サムネイルと共に記録するファイルシステムを備えた。
【００１６】
上記構成において、前記所定の条件は、前記映像記録装置からの送信要求である。
【００１７】
上記構成において、前記所定の条件は、前記映像送信手段の毎正時またはアラーム検出時である。
【００１８】
本発明の映像記録方法は、映像送信手段から所定の条件に応じて送信された映像情報及び前記映像情報に対応したサムネイルを受信する受信ステップと、前記受信ステップで受信された前記映像情報及び前記サムネイルを記録する記録ステップと、を備えた。
【００１９】
上記方法によれば、映像送信手段側でサムネイルを作成し、所定の条件に応じて映像記録装置側へ送信するので、サムネイル作成における映像記録装置側の負荷を軽減できる。
【発明の効果】
【００２０】
本発明は、映像送信手段側で映像情報に基づくサムネイルを作成して映像記録装置側へ送信するので、サムネイル作成における映像記録装置側の負荷を軽減できる。
【発明を実施するための最良の形態】
【００２１】
以下、本発明を実施するための好適な実施の形態について、図面を参照して詳細に説明する。
【００２２】
図１は、本発明の一実施の形態に係る映像記録システムの概略構成を示すブロック図である。同図において、本実施の形態の映像記録システム１は、複数のネットワークカメラ２と、複数のアナログカメラ３と、アナログカメラ３をネットワークに接続するためのエンコーダ４と、ネットワークカメラ２及びアナログカメラ３からの映像情報を記録する映像記録装置５と、ネットワークカメラ２、アナログカメラ３及び映像記録装置５を接続するためのＨＵＢ（集線装置）６とを備えて構成される。
【００２３】
ネットワークカメラ２と映像記録装置５及びエンコーダ４と映像記録装置５は、ＩＰプロトコルなどの通信プロトコルにて双方向通信を行う。映像送信手段であるネットワークカメラ２は、撮影して得られた映像情報及び該映像情報に基づき作成したサムネイルを所定の条件に応じて映像記録装置５へ送信する。この場合、所定の条件としては、例えば、毎正時、アラーム検出時または映像記録装置５からの送信要求である。これらの所定の条件は、予め任意の１つを決めておいても良いし、スイッチなどの選択手段を設けておいて、いずれか１つを任意に選択できるようにしても良い。
【００２４】
映像送信手段であるエンコーダ４は、アナログカメラ３が、撮影して得られた映像情報及び該映像情報に基づき作成したサムネイルを所定の条件に応じて出力する。この場合も所定の条件としては、例えば、毎正時、アラーム検出時、映像記録装置５からの送信要求である。これらの所定の条件も上記同様に、予め任意の１つを決めておいても良いし、スイッチなどの選択手段を設けておいて、いずれか１つを任意に選択できるようにしても良い。アナログカメラ３から出力された映像情報及びエンコーダ４で作成されたサムネイルはエンコーダ４から映像記録装置５へ送信される。
【００２５】
映像記録装置５は、ＮＷ（ネットワーク）制御部５１と、メモリ５２と、ファイルシステム５３と、書込・読込部５４と、ＨＤＤ（ハードディスク）５５とを備えている。ＮＷ制御部５１は、ネットワークに接続してデータの送受信を行うとともに、メモリ５２及びファイルシステム５３を制御する。メモリ５２は、“通常の映像”と“サムネイル”の記録に用いられる。ファイルシステム５３は、ＮＷ制御部５１からの指示に従い、“新しい録画データのファイルを作成する管理情報”の作成を行い、また書込・読込部５４に対してデータの書込み及び読込みを指示する。ＨＤＤ５５は、メモリ５２に記録された“通常の映像”、“サムネイル”、“新しい録画データのファイルを作成する管理情報”を記録する。
【００２６】
なお、ＮＷ制御部５１は受信手段に対応し、ＨＤＤ５５は記録手段に対応する。
【００２７】
映像記録装置５は、以下に示すタイミングで新しい録画データのファイルを作成する（録画データのファイルを分割する）。
（１）毎正時（＊＊時００分）
（２）ネットワークカメラ２、アナログカメラ３側で発生したアラームの情報を映像記録装置５が受信した場合
（３）映像記録装置５側でアラームが発生した場合
（４）時刻変更を行った場合
（５）録画レート、画像の圧縮種別、カメラ品番を変更した場合
【００２８】
上記（１）及び（２）のパターンの場合は、ネットワークカメラ２、アナログカメラ３に接続されているエンコーダ４から積極的にサムネイルを送信する場合であり、上記（３）〜（５）のパターンの場合は、映像記録装置５がネットワークカメラ２、エンコーダ４にサムネイルを要求して、ネットワークカメラ２、エンコーダ４が映像記録装置５へサムネイルを送信する場合である。以下、各パターンにおけるネットワークカメラ２、エンコーダ４及び映像記録装置５の各部の動作を説明する。
【００２９】
上記（１）及び（２）のパターンの場合の動作
１．ネットワークカメラ２、エンコーダ４で＊＊時００分になるか、またはネットワークカメラ２、アナログカメラ３でアラームを検出する。
２．ネットワークカメラ２、アナログカメラ３で検出されたアラームの情報を受信したエンコーダ４が映像記録装置５に対して、“通常の映像”と“サムネイル”を送信する。
３．ＮＷ制御部５１は、“通常の映像”と“サムネイル”を受信する。
４．ＮＷ制御部５１は、メモリ５２に“通常の映像”と“サムネイル”を記録する。
【００３０】
５．ＮＷ制御部５１は、ファイルシステム５３に対して、メモリ５２に“通常の映像”と“サムネイル”を記録したことを通知する。
６．ファイルシステム５３は、ＮＷ制御部５１からの通知に従い、“新しい録画データのファイルを作成する管理情報”を作成し、メモリ５２に記録する。
７．ファイルシステム５３は、書込・読込部５４に対して、メモリ５２に記録した“通常の映像”、“サムネイル”、“新しい録画データのファイルを作成する管理情報”をＨＤＤ５５に書込むよう制御する。
８．書込・読込部５４は、メモリ５２に記録された“通常の映像”、“サムネイル”、“新しい録画データのファイルを作成する管理情報”をＨＤＤ５５に書込み、新しい録画データを作成する。
【００３１】
以上の動作をフローチャートで示すと、図２及び図３のようになる。この場合、図２はネットワークカメラ２、アナログカメラ３及びエンコーダ４の映像送信手段側の動作であり、図３は映像記録装置５側の動作である。
ネットワークカメラ２側では、まず時刻が＊＊時００分か、またはアラームを検出したかを判定する（ステップＳ１０）。時刻が＊＊時００分でもアラームを検出してもいない場合は、映像記録装置５に“通常の映像”のみ送信し（ステップＳ１１）、時刻が＊＊時００分か、またはアラームを検出した場合は、映像記録装置５に“通常の映像”と“サムネイル”を送信する（ステップＳ１２）。ステップＳ１１またはステップＳ１２の処理を終えると、本処理を終了する。
【００３２】
映像記録装置５側では、まず“通常の映像”と“サムネイル”を受信したかどうか判定する（ステップＳ２０）。“通常の映像”のみ受信した場合は、“通常の映像”をＨＤＤ５５に記録する（ステップＳ２１）。一方、“通常の映像”と“サムネイル”を受信した場合は、“新しい録画データのファイルを作成する管理情報”を作成し（ステップＳ２２）、次いで“通常の映像”、“サムネイル”、“新しい録画データのファイルを作成する管理情報”をＨＤＤ５５に記録する（ステップＳ２３）。ステップＳ２１またはステップＳ２３の処理を終えると、本処理を終了する。このように、映像記録装置５側に複数のカメラが接続されている場合、毎正時に複数のカメラからの映像のサムネイルやファイルを作成する為、負荷が集中してしまうが、本発明では、映像記録装置５側は映像送信側から“サムネイル”を受信したときにファイルを作成する為、負荷を軽減することができる。
【００３３】
上記（３）〜（５）のパターンの場合の動作
１．映像記録装置５でアラームが発生、または、時刻変更を実施、または、録画レート、画像圧縮種別、カメラ品番の設定を変更する。
２．映像記録装置５は、ネットワークカメラ２、エンコーダ４に対してサムネイルを送信するように要求する。
３．ネットワークカメラ２、エンコーダ４が映像記録装置５に対して、“通常の映像”と“サムネイル”を送信する。
４．ＮＷ制御部５１は、“通常の映像”と“サムネイル”を受信する。
５．ＮＷ制御部５１は、メモリ５２に“通常の映像”と“サムネイル”を記録する。
【００３４】
６．ＮＷ制御部５１は、ファイルシステム５３に対して、メモリ５２に“通常の映像”と“サムネイル”を記録したことを通知する。
７．ファイルシステム５３は、ＮＷ制御部５１からの通知に従い、“新しい録画データのファイルを作成する管理情報”を作成し、メモリ５２に記録する。
８．ファイルシステム５３は、書込・読込部５４に対して、メモリ５２に記録した“通常の映像”、“サムネイル”、“新しい録画データのファイルを作成する管理情報”をＨＤＤ５５に書込むよう制御する。
９．書込・読込部５４は、メモリ５２に記録された“通常の映像”、“サムネイル”、“新しい録画データのファイルを作成する管理情報”をＨＤＤ５５に書込み、新しい録画データを作成する。
【００３５】
以上の動作をフローチャートで示すと、図４及び図５のようになる。この場合、図４はネットワークカメラ２、エンコーダ４の映像送信手段側の動作であり、図５は映像記録装置５側の動作である。
ネットワークカメラ２側では、まず映像記録装置５からサムネイル要求を受信したかどうか判定する（ステップＳ３０）。サムネイル要求を受信していない場合は、映像記録装置５に“通常の映像”のみ送信し（ステップＳ３１）、サムネイル要求を受信した場合は、映像記録装置５に“通常の映像”と“サムネイル”を送信する（ステップＳ３２）。ステップＳ３１またはステップＳ３２の処理を終えると、本処理を終了する。
【００３６】
映像記録装置５側では、まずアラーム発生、時刻変更、または録画レート、画像の圧縮種別、カメラ品番の変更が行われたかどうか判定する（ステップＳ４０）。当該変更が行われた場合は、ネットワークカメラ２、エンコーダ４にサムネイルを要求し（ステップＳ４１）、当該変更が行われなかった場合は、何も処理を行わず後述するステップＳ４２に進む。ネットワークカメラ２、エンコーダ４にサムネイルを要求した場合、またはステップＳ４０で変更がなかった場合、“通常の映像”と“サムネイル”を受信したかどうか判定し（ステップＳ４２）、“通常の映像”のみ受信した場合は、“通常の映像”をＨＤＤ５５に記録する（ステップＳ４３）。一方、“通常の映像”と“サムネイル”を受信した場合は、“新しい録画データのファイルを作成する管理情報”を作成し（ステップＳ４４）、次いで“通常の映像”、“サムネイル”、“新しい録画データのファイルを作成する管理情報”をＨＤＤ５５に記録する（ステップＳ４５）。ステップＳ４３またはステップＳ４５の処理を終えると、本処理を終了する。
【００３７】
以上のように本実施の形態の映像記録システム１によれば、撮影して得られた映像情報及び該映像情報に基づき作成したサムネイルを、毎正時、アラーム検出時または映像記録装置５からの送信要求に応じて送信するネットワークカメラ２、アナログカメラ３及びエンコーダ４と、ネットワークカメラ２、エンコーダ４から送信された映像情報及びサムネイルを受信して記録する映像記録装置５と、を備え、ネットワークカメラ２、エンコーダ４側で映像情報に基づくサムネイルを作成するので、当該サムネイル作成における映像記録装置５側の負荷を軽減できる。
【産業上の利用可能性】
【００３８】
本発明は、映像情報に基づくサムネイル作成における映像記録装置の負荷を軽減できるといった効果を有し、カメラと、該カメラで撮影して得られた映像情報を記録する映像記録装置とを備える映像記録システムなどへの適用が可能である。
【図面の簡単な説明】
【００３９】
【図１】本発明の一実施の形態に係る映像記録システムの概略構成を示ブロック図
【図２】図１の映像記録システムにおいて、カメラが積極的にサムネイルを送る場合のカメラ側の動作を説明するためのフローチャート
【図３】図１の映像記録システムにおいて、カメラが積極的にサムネイルを送る場合の映像記録装置側の動作を説明するためのフローチャート
【図４】図１の映像記録システムにおいて、カメラに映像記録装置側からのサムネイル要求がある場合のカメラ側の動作を説明するためのフローチャート
【図５】図１の映像記録システムにおいて、カメラに映像記録装置側からのサムネイル要求がある場合の映像記録装置側の動作を説明するためのフローチャート
【符号の説明】
【００４０】
１  映像記録システム
２  ネットワークカメラ
３  アナログカメラ
４  エンコーダ
５  映像記録装置
５１  ＮＷ制御部
５２  メモリ
５３  ファイルシステム
５４  書込・読込部
５５  ＨＤＤ
【図１】
2010193393.tif 000003
【図２】
2010193393.tif 000004
【図３】
2010193393.tif 000005
【図４】
2010193393.tif 000006
【図５】
2010193393.tif 000007